(57)【要約】本発明の表示装置用照明装置１２は、ＬＥＤ光源２０と、前記ＬＥＤ光源２０を複数個実装してなるＬＥＤ基板２１と、前記ＬＥＤ光源２０の光出射側に配される光学部材１５と、前記ＬＥＤ光源２０を取り付けるためのシャーシ１４とを備え、前記シャーシ１４には、切欠部１７が形成され、前記ＬＥＤ基板２１は、前記ＬＥＤ光源２０が前記切欠部１７にから前記光学部材１５側に露出した状態で、前記シャーシ１４のうち前記光学部材１５と対向する面とは反対側の面に取り付けられていることを特徴とする。
2009054177.tif 000002
【特許請求の範囲】
【請求項１】
ＬＥＤ光源と、前記ＬＥＤ光源を複数個実装してなるＬＥＤ基板と、前記ＬＥＤ光源の光出射側に配される光学部材と、前記ＬＥＤ光源を取り付けるためのシャーシとを備え、
前記シャーシには、切欠部が形成され、
前記ＬＥＤ基板は、前記ＬＥＤ光源が前記切欠部から前記光学部材側に露出した状態で、前記シャーシのうち前記光学部材と対向する面とは反対側の面に取り付けられていることを特徴とする表示装置用照明装置。
【請求項２】
前記ＬＥＤ基板には、前記ＬＥＤ光源の点灯に伴い発生する熱を放熱するためのヒートシンクが設けられていることを特徴とする請求の範囲第１項に記載の表示装置用照明装置。
【請求項３】
前記ヒートシンクは、前記ＬＥＤ基板のうち前記ＬＥＤ光源を実装した面とは反対側の面に設けられていることを特徴とする請求の範囲第２項に記載の表示装置用照明装置。
【請求項４】
前記ＬＥＤ基板は、前記ＬＥＤ光源が実装される基板部を有し、
前記ヒートシンクは、前記ＬＥＤ基板の前記基板部より熱伝導率が大きい材料からなることを特徴とする請求の範囲第２項又は請求の範囲第３項に記載の表示装置用照明装置。
【請求項５】
前記ＬＥＤ基板において、前記ＬＥＤ光源を実装した面には、前記光学部材の方向へ指向する反射面を有するリフレクターが設けられていることを特徴とする請求の範囲第１項ないし請求の範囲第４項のいずれか１項に記載の表示装置用照明装置。
【請求項６】
前記リフレクターは金属製とされ、当該リフレクターの光反射率は前記ＬＥＤ基板の光反射率よりも大きいことを特徴とする請求の範囲第５項に記載の表示装置用照明装置。
【請求項７】
前記リフレクターのうち、少なくとも前記反射面は白色系の色の塗装がなされていることを特徴とする請求の範囲第５項又は請求の範囲第６項に記載の表示装置用照明装置。
【請求項８】
前記リフレクターは樹脂製とされ、当該リフレクターの光反射率は前記ＬＥＤ基板の光反射率よりも大きいことを特徴とする請求の範囲第５項に記載の表示装置用照明装置。
【請求項９】
前記シャーシにおいて、前記切欠部の側面が、前記光学部材の方向へ指向する斜面をなしていることを特徴とする請求の範囲第１項ないし請求の範囲第８項のいずれか１項に記載の表示装置用照明装置。
【請求項１０】
前記斜面の光反射率は、前記シャーシのうち当該斜面を除く部位の光反射率に比して大きいことを特徴とする請求の範囲第９項に記載の表示装置用照明装置。
【請求項１１】
前記斜面は、光反射性を有する樹脂からなることを特徴とする請求の範囲第９項又は請求の範囲第１０項に記載の表示装置用照明装置。
【請求項１２】
前記斜面には、白色系の色の塗装がなされていることを特徴とする請求の範囲第９項ないし請求の範囲第１１項のいずれか１項に記載の表示装置用照明装置。
【請求項１３】
請求の範囲第１項ないし請求の範囲第１２項のいずれか１項に記載の表示装置用照明装置と、
前記表示装置用照明装置からの光を利用して表示を行う表示パネルと、を備えることを特徴とする表示装置。
【請求項１４】
前記表示パネルが液晶を用いた液晶パネルであることを特徴とする請求の範囲第１３項に記載の表示装置。
【請求項１５】
請求の範囲第１３項又は請求の範囲第１４項に記載された表示装置を備えるテレビ受信装置。
【発明の詳細な説明】
【技術分野】
【０００１】
本発明は、表示装置用照明装置、表示装置及びテレビ受信装置に関する。
【背景技術】
【０００２】
例えば、液晶テレビなどの液晶表示装置に用いる液晶パネルは自発光しないため、当該液晶パネルに照明光を供給する外部光源として、バックライト装置が必要とされる。このバックライト装置については、近年の液晶表示装置の大型化に伴い、高輝度化や光均一化が要求されており、かかる要求を満たすべく、ＬＥＤ（Light Emitting Diode）を光源とするバックライト装置が注目されている。【０００３】
ところで、ＬＥＤは発熱量が大きく、多数個のＬＥＤを２次元配列したＬＥＤ基板を備えるバックライト装置では、各ＬＥＤからの発熱によりバックライト装置が高温状態になる場合がある。この場合、バックライト装置に備わる部材に変形や変質が生じること等により、照明光を不均一な状態で液晶パネルに供給することとなり、色むら等の原因となる。そこで、ＬＥＤを光源とするバックライト装置においては、各ＬＥＤから発生した熱を効率良く放熱する放熱装置が備えられる（例えば特許文献１参照）。
【特許文献１】特開２００６−２７８０４１公報
【０００４】
（発明が解決しようとする課題）
上記特許文献１には、バックライト装置の背面側に取り付けられる、放熱能を有するバックパネルが開示されている。具体的には、板金パネルの一方の面にプレス成形によって収納溝部を形成し、その収納溝部に板金部材と熱的に接続するヒートパイプを収納し、また、板金パネルの他方の面にベース及びフィンからなるヒートシンクを配置し、ベースの一部がヒートパイプ側に露出するように開口部を設けて、実質的に同一面となるベースの一部及びヒートパイプを受熱面として、ＬＥＤ基板に直接熱的に接続するバックパネルが開示されている。【０００５】
ところで、このようなバックライト装置を配設した表示装置において、ＬＥＤ基板を修理、交換する場合には、以下の２つの手段が採用可能であると考えられる。一方の手段は、バックライト装置の裏側（表示パネルとは反対側）から放熱装置を１つずつ外し、ＬＥＤ基板との接続を遮断した後、それぞれのＬＥＤ基板を取り外す方法である。他方の手段は、表示装置の表示面側から、表示パネル、光学部材等を順次外し、ＬＥＤ基板に到達する方法である。いずれの手段においても、種々の部材を順次外す作業が必要となり、ＬＥＤ基板に到達し、これを取り外して交換するために相当の手間が掛かる作業となる。
【発明の開示】
【０００６】
本発明は、上記のような事情に基づいてなされたものであって、ＬＥＤ基板の交換作業を容易に行うことが可能で、放熱性にも優れた表示装置用照明装置を提供することを目的としている。また、本発明は、そのような照明装置を備えることでメンテナンスが容易な表示装置及びテレビ受信装置を提供することを目的としている。
【０００７】
（課題を解決するための手段）
上記課題を解決するために、本発明の表示装置用照明装置は、ＬＥＤ光源と、前記ＬＥＤ光源を複数個実装してなるＬＥＤ基板と、前記ＬＥＤ光源の光出射側に配される光学部材と、前記ＬＥＤ光源を取り付けるためのシャーシとを備え、前記シャーシには、切欠部が形成され、前記ＬＥＤ基板は、前記ＬＥＤ光源が前記切欠部から前記光学部材側に露出した状態で、前記シャーシのうち前記光学部材と対向する面とは反対側の面に取り付けられていることを特徴とする。
【０００８】
このような表示装置用照明装置によると、ＬＥＤ基板が、シャーシに対して、光学部材と対向する面とは反対側の面に取り付けられているため、その脱着に際し手間が掛かることなく、当該ＬＥＤ基板の交換が容易なものとなる。
従来、ＬＥＤ基板は、シャーシのうち光学部材と対向する面上に形成される構成とされていた。そのため、ＬＥＤ或いはその周辺部材（リードフレーム、配線等）に不具合或いは消耗が発生し、ＬＥＤ基板を交換する必要が生じた場合には、例えばシャーシと一体固定した表示パネル、光学部材等を順次取り外してＬＥＤ基板を露出させた後、当該ＬＥＤ基板を取り外す必要があり、非常に手間が掛かる作業であった。
しかしながら、本発明の表示装置用照明装置では、ＬＥＤ基板が、シャーシに対して、光学部材と対向する面とは反対側の面から取り付けられる構成とされているため、ＬＥＤ基板の交換に際し、他の部材を取り外す必要がなく、ＬＥＤ基板の交換作業を容易に行うことが可能となる。
【０００９】
また、本発明者は、このようなＬＥＤ基板の取り外し手段を実現するために、シャーシに切欠部を設け、ＬＥＤ光源が当該切欠部から光学部材側に露出した状態でＬＥＤ基板を取り付ける構成とすることを見出した。このような構成とすることで、ＬＥＤ基板をシャーシのうち光学部材と対向する面とは反対側の面に取り付けた場合も、当該ＬＥＤ基板に備わるＬＥＤ光源は、切欠部を通じてシャーシの光学部材と対向する面に現出することとなる。その結果、このＬＥＤ光源から供給される光は、従来通り、光学部材、ひいては当該表示装置用照明装置に取り付けられる表示パネルへ入射されることとなる。
【００１０】
さらに、ＬＥＤ基板が、シャーシのうち光学部材と対向する面とは反対側の面から取り付けられる構成とされているため、ＬＥＤ基板は外部に露出することになる。これにより、ＬＥＤ光源から発生する熱を、シャーシを介することなく、ＬＥＤ基板から直接外気に放熱することができるため、高い放熱効果を奏することが可能となる。
【００１１】
また、本発明の表示装置用照明装置において、前記ＬＥＤ基板には、前記ＬＥＤ光源の点灯に伴い発生する熱を放熱するためのヒートシンクが設けられているものとすることができる。
このように、ＬＥＤ基板にヒートシンクを設けることにより、当該表示装置用照明装置の高温化に伴う部材の変形や変質を抑止することが可能となる。なお、ヒートシンクは、例えばＬＥＤ基板表面のリードフレームに直接設けることができ、また、その構成は、ベースとフィンとを備えた一般的に知られている構成とすることができる。
【００１２】
また、前記ヒートシンクは、前記ＬＥＤ基板のうち前記ＬＥＤ光源を実装した面とは反対側の面に設けられているものとすることができる。
この場合、ヒートシンクは、シャーシのうち光学部材と対向する面と反対側の面に露出することとなる。すなわち、当該表示装置用照明装置の外部に露出することになるため、放熱能が低下することなく、ＬＥＤ光源からの熱を効率良く冷却することが可能となる。
【００１３】
また、前記ＬＥＤ基板は、前記ＬＥＤ光源が実装される基板部を有し、前記ヒートシンクは、前記ＬＥＤ基板の前記基板部より熱伝導率が大きい材料からなるものとすることができる。
この場合、ＬＥＤ光源から発生する熱が、ヒートシンクに効率良く伝導するため、その冷却効果をより一層高めることが可能となる。
【００１４】
また、前記ＬＥＤ基板において、前記ＬＥＤ光源を実装した面には、前記光学部材の方向へ指向する反射面を有するリフレクターが設けられているものとすることができる。
このように、ＬＥＤ光源からの出射光を光学部材側へ反射させるためのリフレクターを設けることにより、当該ＬＥＤ光源から供給される光を有効に利用することで高輝度化が可能となるとともに、暗所をなくすことができ照明光の均一化が可能となる。
【００１５】
また、前記リフレクターは金属製とされ、当該リフレクターの光反射率は前記ＬＥＤ基板の光反射率よりも大きいものとすることができる。
このように、リフレクターの光反射率を大きいものとすることにより、一層効率良くＬＥＤ光源からの出射光を反射することが可能となる。
【００１６】
また、前記リフレクターのうち、少なくとも前記反射面は白色系の色の塗装がなされているものとすることができる。
このように、光を反射し易い白色系の色の塗装をリフレクターの反射面に施すことにより、リフレクターの光反射性を高めることができるため、ＬＥＤからの出射光を有効に利用することが可能となる。
【００１７】
また、前記リフレクターは樹脂製とされ、当該リフレクターの光反射率は前記ＬＥＤ基板の光反射率よりも大きいものとすることができる。
このように、リフレクターを樹脂成形品からなるものとすることにより、成形性が向上するとともに、色素材料の添加等により、容易に光反射率を調整することが可能となる。
【００１８】
また、前記シャーシにおいて、前記切欠部の側面が、前記光学部材の方向へ指向する斜面をなしているものとすることができる。
このように、切欠部の側面を斜面とすることにより、リフレクターとしての機能を有することになる。すなわち、当該斜面によりＬＥＤ光源の出射光を光学部材方向へ反射することができるため、当該ＬＥＤ光源から供給される光を有効に利用することで高輝度化が可能となるとともに、暗所をなくすことができ照明光の均一化が可能となる。
【００１９】
また、前記斜面の光反射率は、前記シャーシのうち当該斜面を除く部位の光反射率に比して大きいものとすることができる。
このように、斜面の光反射率を大きいものとすることにより、一層効率良くＬＥＤ光源からの出射光を反射することが可能となる。
【００２０】
また、前記斜面は、光反射性を有する樹脂からなるものとすることができる。
このように、斜面に光反射性を有する樹脂を塗布ないし貼着することにより、斜面の光反射性を高めることができるため、ＬＥＤからの出射光を有効に利用することが可能となる。
【００２１】
また、前記斜面には、白色系の色の塗装がなされているものとすることができる。
このように、光を反射し易い白色系の色の塗装を斜面に施すことにより、斜面の光反射性を高めることができるため、ＬＥＤからの出射光を有効に利用することが可能となる。
【００２２】
次に、上記課題を解決するために、本発明の表示装置は、上記記載の表示装置用照明装置と、前記表示装置用照明装置からの光を利用して表示を行う表示パネルと、を備えることを特徴とする。
このような表示装置によると、表示装置用照明装置においてＬＥＤ基板の交換作業を容易に行うことが可能となるため、当該表示装置においてもメンテナンスが容易なものとなる。
【００２３】
前記表示パネルとしては液晶パネルを例示することができる。このような表示装置は液晶表示装置として、種々の用途、例えばテレビやパソコンのデスクトップ画面等に適用でき、特に大型画面用として好適である。
【００２４】
また、本発明のテレビ受信装置は、上記表示装置を備えることを特徴とする。
このようなテレビ受信装置によると、表示装置においてメンテナンスが容易なものとされているため、当該テレビ受信装置においてもメンテナンス性に優れたものとすることが可能となる。
【００２５】
（発明の効果）
本発明によると、ＬＥＤ基板の交換作業を容易に行うことが可能な構成を備えた表示装置用照明装置を提供することが可能となる。また、本発明の表示装置及びテレビ受信装置によると、メンテナンスを容易に行うことが可能となる。
【図面の簡単な説明】
【００２６】
【図１】本発明の実施形態１に係るテレビ受信装置の概略構成を示す分解斜視図。
【図２】図１のテレビ受信装置が備える液晶表示装置の概略構成を示す分解斜視図。
【図３】図２の液晶表示装置のＡ−Ａ線断面図。
【図４】バックライト装置に備わるＬＥＤ基板の概略構成を示す斜視図。
【図５】バックライト装置の要部拡大断面図。
【図６】バックライト装置が奏する作用効果を示す説明図。
【図７】本発明の実施形態２に係るバックライト装置に取り付けるＬＥＤ基板の概略構成を示す斜視図。
【図８】実施形態２に係るバックライト装置の要部拡大断面図。
【図９】本発明の実施形態３に係る液晶表示装置の概略構成を示す分解斜視図。
【図１０】本発明の実施形態４に係る液晶表示装置の概略構成を示す分解斜視図。
【図１１】図１０の液晶表示装置のＢ−Ｂ線断面を模式的に示す図。
【図１２】バックライト装置に備わるＬＥＤ基板とシャーシとの組付け関係を示す斜視図。
【符号の説明】
【００２７】
１０…液晶表示装置（表示装置）、１１…液晶パネル（表示装置）、１２…バックライト装置（表示装置用照明装置）、１４…シャーシ、１５…光学部材、１７…切欠部、１７ａ…斜面、２０…ＬＥＤ光源、２１，４０，６０…ＬＥＤ基板、２２…（ＬＥＤ基板の）基板部、２４，５０…リフレクター、３３…ヒートシンク、５０ａ…反射面、ＴＶ…テレビ受信装置
【発明を実施するための最良の形態】
【００２８】
＜実施形態１＞
本発明の実施形態１を図１ないし図６によって説明する。本実施形態では、表示装置として液晶表示装置１０について例示する。
図１は、本実施形態のテレビ受信装置の概略構成を示す分解斜視図、図２は図１のテレビ受信装置が備える液晶表示装置の概略構成を示す分解斜視図、図３は図２の液晶表示装置のＡ−Ａ線断面図、図４はバックライト装置に備わるＬＥＤ基板の概略構成を示す斜視図、図５はバックライト装置の要部拡大断面図、図６はバックライト装置が奏する作用効果を示す説明図である。【００２９】
本実施形態に係るテレビ受信装置ＴＶは、図１に示すように、液晶表示装置（表示装置）１０と、当該液晶表示装置１０を挟むようにして収容する表裏両キャビネットＣａ，Ｃｂと、電源Ｐと、チューナーＴと、スタンドＳとを備えて構成される。液晶表示装置１０は、全体として横長の方形を成し、図２に示すように、表示パネルである液晶パネル１１と、外部光源であるバックライト装置（表示装置用照明装置）１２とを備え、これらがベゼル１３などにより一体的に保持されるようになっている。【００３０】
次に、液晶表示装置１０を構成する液晶パネル１１及びバックライト装置１２について説明する（図２及び図３参照）。
液晶パネル１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極等が設けられ、他方のガラス基板には、対向電極等が設けられている。【００３１】
バックライト装置１２は、いわゆる直下型のバックライト装置であって、液晶パネル１１のパネル面（すなわち表示面）の背面直下に、当該パネル面に沿ってＬＥＤ光源２０を複数具備した構成となっている。【００３２】
このバックライト装置１２は、上面側が開口した略箱型をなす金属製のシャーシ１４と、シャーシ１４の開口部を覆うようにして取り付けられる複数の光学部材１５（図示下側から順に拡散板、拡散シート、レンズシート、反射型偏光板）と、これら光学部材１５をシャーシ１４に保持するためのフレーム１６とを備える。さらに、シャーシ１４の底面部には切欠部１７が形成され、この切欠部１７を通じて、後述するＬＥＤ基板２１に配設されたＬＥＤ光源２０が取り付けられている。なお、当該バックライト装置１２においては、ＬＥＤ光源２０よりも光学部材１５側が光出射側となっている。【００３３】
切欠部１７は、矩形状とされ、図３に示すように、その周囲の側面が光学部材１５の方向へ指向し、より具体的にはシャーシ１４の底面に対して４５°の傾きを有する上向きの斜面１７ａをなしており、さらに当該斜面１７ａの表面は白色に塗装がなされている。このように、光を反射し易い白色塗装が施されていることにより、斜面１７ａの光反射率は、シャーシ１４の斜面１７ａを除く部位の光反射率に比して大きいものとされている。【００３４】
上記シャーシ１４に取り付けられるＬＥＤ基板２１は、図４に示すように、樹脂製の板状をなす基板部（実装基板）２２と、Ｒ（赤色），Ｇ（緑色），Ｂ（青色）を単色発光する３つのＬＥＤチップ２３が樹脂固定されたＬＥＤ光源２０とから構成されている。このＬＥＤ基板２１が、図２に示すように、シャーシ１４の切欠部１７により形成される開口と重畳する位置に複数枚配列されている。【００３５】
ＬＥＤ光源２０は、図４に示すように、基板部２２の一方の面に複数個（本実施形態では基板部２２の長辺方向に５つ、短辺方向に２つ）整列配置されており、これら各ＬＥＤ光源２０間の距離は等間隔に設定されている。さらに、ＬＥＤ光源２０同士の間には、当該ＬＥＤ光源２０から照射される光を反射するためのリフレクター２４が延設されるとともに、ＬＥＤ光源２０が配置された外側（基板部２２上面の周囲）には、リフレクター２４が配設されていない基板上面部２２ａが露出する態様とされている。【００３６】
上記のＬＥＤ基板２１は、図５に示すように、シャーシ１４のうち光学部材１５と対向する面とは反対側（図５における下側）から、ビス留めによりシャーシ１４に取り付けられている。ここで、当該ＬＥＤ基板２１の上面（光学部材１５側）に配設されたＬＥＤ光源２０群は、シャーシ１４に形成された切欠部１７と重畳する位置に配置されており、この切欠部１７を通じて光学部材１５側に現出する態様とされている。また、ＬＥＤ基板２１の基板上面部２２ａは切欠部１７間に介在するシャーシ１４の部位と重畳するものとされている。【００３７】
さらに、ＬＥＤ基板２１の下面（ＬＥＤ光源２０が配設される面の反対側の面）には、当該面に沿って延設される板状のベース３１と、当該ベース３１と一体に立設されたフィン３２とからなるヒートシンク３３が当該ＬＥＤ基板２１と熱伝導可能に取り付けられている。なお、本実施形態では、当該ヒートシンク３３は銅製とされており、その熱伝導率がＬＥＤ基板２１の基板部２２の熱伝導率に比して高いものとされている。【００３８】
以上のような構成を備えた本実施形態のテレビ受信装置ＴＶ、液晶表示装置１０及びバックライト装置１２は、以下のような作用効果を奏する。
本実施形態のバックライト装置１２は、ＬＥＤ光源２０が所定配列されたＬＥＤ基板２１がシャーシ１４の背面側（光学部材１５と対向する面とは反対側）に取り付けられる構成とされている。これにより、ＬＥＤ光源２０に不具合或いは消耗が発生し、ＬＥＤ基板２１を交換する必要が生じた場合にも、図６に示すように、交換が必要なＬＥＤ基板２１とシャーシ１４とを係止しているビスを外す作業のみで当該ＬＥＤ基板２１を簡単に取り外すことができ、ＬＥＤ基板２１の交換作業を容易に行うことが可能となる。【００３９】
さらに、シャーシ１４に切欠部１７を形成し、当該切欠部１７からＬＥＤ光源２０が光学部材１５側へ露出する状態で、ＬＥＤ基板２１をシャーシ１４に取り付けるものとした。これにより、シャーシ１４の背面側（光学部材１５と対向する面とは反対側）からＬＥＤ基板２１を取り付けた場合であっても、ＬＥＤ光源２０は切欠部１７を通じて光学部材１５側に露出させることができる。その結果、このＬＥＤ光源２０から供給される光は、光学部材１５及び液晶パネル１１に入射することが可能となる。【００４０】
さらに、ＬＥＤ基板２１がバックライト装置１２の外部に露出した構成とされているため、ＬＥＤ光源２０から発生する熱を、シャーシ１４を介することなく、ＬＥＤ基板２１から直接外気に放熱することができるため、高い放熱効果を奏することが可能となる。【００４１】
また、本実施形態では、ＬＥＤ基板２１のうちＬＥＤ光源２０を実装した面とは反対側の面にヒートシンク３３が設けられた構成としている。
ＬＥＤ光源２０は発熱量が大きいため、多数個のＬＥＤ光源２０を配列したＬＥＤ基板２１を使用すると、各ＬＥＤ光源２０からの発熱によりバックライト装置１２が高温状態になる場合がある。そこで、ＬＥＤ基板２１にヒートシンク３３を設けることにより、ＬＥＤ光源２０から発生した熱が、ＬＥＤ基板２１を通じてヒートシンク３３に伝導し、高い表面積をもつフィン３２により放熱されることとなる（図５参照）。
さらに、特に本実施形態では、ヒートシンク３３をＬＥＤ基板２１のＬＥＤ光源２０を実装した面とは反対側の面に設けるものとしたため、当該ヒートシンク３３はバックライト装置１２の外部へ露出することとなる。その結果、ヒートシンク３３の放熱能が低下することなく、ＬＥＤ光源２０からの熱を効率良く冷却することが可能となる。【００４２】
また、本実施形態では、ヒートシンク３３を銅製とすることで、ＬＥＤ基板２１の基板部２２より熱伝導率が大きいものとしているため、ＬＥＤ光源２０から発生する熱が、ヒートシンク３３に効率良く伝導し、その冷却効果をより一層高めることが可能となる。【００４３】
また、本実施形態では、ＬＥＤ基板２１においてＬＥＤ光源２０が配列された面に、リフレクター２４が設けられている。
このように、ＬＥＤ光源２０からの出射光を光学部材１５側へ反射させるためのリフレクター２４を設けることにより、当該ＬＥＤ光源２０から供給される光を有効に利用することで高輝度化が可能となるとともに、暗所をなくすことができ照明光の均一化が可能となる。【００４４】
また、本実施形態では、シャーシ１４に形成した切欠部１７の側面が、光学部材１５の方向へ指向する斜面１７ａをなしている。
これにより、ＬＥＤ光源２０から出射された光のうち、切欠部１７の斜面１７ａに到達した光は、当該斜面１７ａにより光学部材１５の方向へ反射されることとなる。その結果、ＬＥＤ光源２０から供給される光を有効に利用することで高輝度化が可能となるとともに、暗所をなくすことができ照明光の均一化が可能となる。【００４５】
また、本実施形態では、斜面１７ａは白色系の塗装が施され、その斜面１７ａの光反射率がシャーシ１４のうち当該斜面１７ａを除く部位の光反射率よりも大きいものとされている。
このように、光を反射し易い白色系の塗装を施すことにより斜面１７ａの光反射性を高めることができ、その光反射率をシャーシ１４のうち当該斜面１７ａを除く部位の光反射率よりも大きいものとすることで、一層効率良くＬＥＤ光源２０からの出射光を反射することが可能となる。【００４６】
＜実施形態２＞
次に、本発明の実施形態２を図７及び図８によって説明する。前記実施形態１との相違は、ＬＥＤ基板にのみ光反射機構であるリフレクターを設けるものとしたところにあり、その他は前記実施形態と同様である。前記実施形態と同一部分には、同一符号を付して重複する説明を省略する。
図７は本実施形態に係るバックライト装置に取り付けるＬＥＤ基板の概略構成を示す斜視図、図８はバックライト装置の要部拡大断面図である。【００４７】
ＬＥＤ基板４０は、図７に示すように、その一方の面にＬＥＤ光源２０が配列した構成とされており、具体的には、ＬＥＤ基板４０の長辺方向に沿って５つ、短辺方向に沿って２つのＬＥＤ光源２０が整列配置されている。このＬＥＤ光源２０同士の間の間隙及びＬＥＤ光源２０群を取り囲む領域にはリフレクター５０が延設されている。【００４８】
上記したＬＥＤ基板４０が、シャーシ１４に対して、シャーシ１４のうち光学部材１５に対向する面とは反対側から取り付けられた状態を図８に示す。
ＬＥＤ基板４０は、互いに隣り合うＬＥＤ基板４０が密接した状態で配置されている。また、ＬＥＤ光源２０及びリフレクター５０は、シャーシ１４に形成された切欠部１７を通じて、光学部材１５側へ現出した状態とされている。【００４９】
リフレクター５０は、それぞれのリフレクター５０が囲むＬＥＤ光源２０群側に反射面５０ａを有し、この反射面５０ａはＬＥＤ光源２０群から供給される光を光学部材１５に反射すべく、光学部材１５の方向へ指向する面とされている。一方、リフレクター５０のうちＬＥＤ光源２０群側とは反対側の面は、ＬＥＤ基板２１から立ち上がる面とされており、これによりリフレクター５０の垂直断面は略台形状とされている。
なお、本実施形態では、リフレクター５０は金属製とされており、かつ、その反射面５０ａは白色の塗装がなされている。これにより、当該リフレクター５０の光反射率は、ＬＥＤ基板４０の光反射率よりも大きいものとされている。【００５０】
このようなバックライト装置１２によると、以下の作用効果が奏される。
本実施形態では、ＬＥＤ基板４０においてＬＥＤ光源２０が配列された面に、光学部材１５の方向へ指向する反射面５０ａを有するリフレクター５０が設けられている。
このように、ＬＥＤ光源２０からの出射光を光学部材１５側へ反射させるためのリフレクター５０を設けることにより、当該ＬＥＤ光源２０から供給される光を有効に利用することで高輝度化が可能となるとともに、暗所をなくすことができ照明光の均一化が可能となる。【００５１】
また、本実施形態では、反射面５０ａは白色系の塗装が施され、その反射面５０ａの光反射率がＬＥＤ基板４０の光反射率よりも大きいものとされている。
このように、光を反射し易い白色系の塗装を施すことにより反射面５０ａの光反射性を高めることができ、その光反射率をＬＥＤ基板４０の光反射率よりも大きいものとすることで、一層効率良くＬＥＤ光源２０からの出射光を反射することが可能となる。【００５２】
＜実施形態３＞
次に、本発明の実施形態３を図９によって説明する。前記実施形態１，２との相違は、ＬＥＤ基板のシャーシへの取り付け態様にあり、その他は前記実施形態と同様である。前記実施形態と同一部分には、同一符号を付して重複する説明を省略する。
図９は本実施形態に係る液晶表示装置の概略構成を示す分解斜視図である。【００５３】
ＬＥＤ基板６０は、図９に示すように、隣り合うＬＥＤ基板６０が密接した状態で、１枚のバックライト基板６１に整列配置されている。当該ＬＥＤ基板６０は、個々に駆動を制御可能とされ、かつ、個々にバックライト基板６１から取り外し可能な構成とされている。【００５４】
このような本実施形態の液晶表示装置１０によれば、複数のＬＥＤ基板６０が配置された１枚のバックライト基板６１をシャーシ１４に取り付けることで照明光が供給される構成とされているため、ＬＥＤ基板６０の取り付け作業に掛かる手間を低減することができ、組立て作業の効率の向上に貢献することが可能となる。【００５５】
また、ＬＥＤ光源２０に不具合或いは消耗が発生し、当該部位を交換する必要が生じた場合には、まずシャーシ１４からバックライト基板６１を取り外し、次に交換する必要が生じた部位のＬＥＤ基板６０を取り外すことで交換可能であり、必要部位の交換作業の効率を向上させることが可能となる。【００５６】
＜実施形態４＞
次に、本発明の実施形態４を図１０〜図１２によって説明する。前記実施形態１との相違は、シャーシにのみ光反射機構であるリフレクターを設けるものとしたところにあり、その他は前記実施形態と同様である。前記実施形態と同一部分には、同一符号を付して重複する説明を省略する。【００５７】
図１０は本実施形態のテレビ受信装置が備える液晶表示装置の概略構成を示す分解斜視図（実施形態１の図２に相当）、図１１の液晶表示装置のＢ−Ｂ線断面を模式的に示す図（実施形態１の図３に相当）、図１２はバックライト装置に備わるＬＥＤ基板とシャーシとの組付け関係を示す斜視図である。【００５８】
ＬＥＤ基板１２１は、その一方の面にＬＥＤ光源２０が配列した構成とされており、具体的には、１つのＬＥＤ基板１２１の長辺方向に沿って４つ、短辺方向に沿って３つのＬＥＤ光源２０が整列配置されている。このＬＥＤ光源２０同士の間隙及びＬＥＤ光源２０群を取り囲む領域には、上記実施形態１とは異なり、リフレクターは配設されていない。【００５９】
一方、シャーシ１４には、各ＬＥＤ光源２０と同数の開口部１１７が形成され、その開口部１１７の配置パターンは、当該シャーシ１４とＬＥＤ基板１２１を組み付けた状態にてＬＥＤ光源２０が露出する関係のパターンとされている。開口部１１７は、その開口面積が、表面側（光学部材１５側）から裏面側（基板部２２側）に向けて小さくなるテーパ状に構成され、すなわち表面側（光学部材１５側）に向けて光を反射可能なリフレクター機能を有する斜面１１７ａを備えて構成されている。【００６０】
本実施形態のＬＥＤ基板１２１が、シャーシ１４に対して、シャーシ１４のうち光学部材１５に対向する面とは反対側から取り付けられた状態を図１１、その要部構成を図１２に示す。
図１１に示すように、ＬＥＤ基板１２１は、互いに隣り合うＬＥＤ基板１２１が隣接した状態で配置されている。また、ＬＥＤ光源２０は、シャーシ１４に形成された開口部１１７を通じて、光学部材１５側へ露出した状態とされている。シャーシ１４の開口部１１７に形成された斜面１１７ａは、当該開口部１１７から露出するＬＥＤ光源２０群から供給される光を光学部材１５に反射すべく、光学部材１５の方向へ指向する面とされている。【００６１】
このような本実施形態に係るバックライト装置１２によると、ＬＥＤ基板１２１に配列されたＬＥＤ光源２０が、シャーシ１４の開口部１１７から露出する構成とされ、ＬＥＤ光源２０からの光を光学部材１５側に指向させるリフレクター機能をシャーシ１４の開口部１１７に形成した斜面１１７ａに担わせているため、別途のリフレクターを必要とせず、コスト削減に寄与することが可能となる。【００６２】
＜他の実施形態＞
以上、本発明の実施形態について示したが、本発明は上記記述及び図面によって説明した実施形態に限定されるものではなく、例えば次のような実施形態も本発明の技術的範囲に含まれる。【００６３】
（１）上記した実施形態１では、切欠部１７の斜面１７ａを白色に塗布するものとしたが、光の反射性を向上させる手段として、斜面１７ａは光反射性を有する樹脂からなるものとしても良い。この場合、シャーシを樹脂製とするのみならず、切欠部１７の側面に樹脂を塗布ないし貼着する等の手段を採用することが可能である。【００６４】
（２）上記した実施形態２では、リフレクター５０を金属製としたが、これに限らず、樹脂製のものとしても良い。この場合、ＬＥＤ光源から供給される光の有効利用の観点から、当該樹脂製のリフレクターの光反射率がＬＥＤ基板の光反射率よりも大きいことが好ましい。なお、この光反射率の調整手段としては、色素材料の添加等を好適に用いることが可能である。【００６５】
（３）上記した各実施形態では、ＬＥＤ基板にヒートシンク３３を設けるものとしたが、ヒートシンク３３を設けない構成としても良い。ただし、ＬＥＤ光源２０は発熱量が大きいため、周辺部材の変質或いは変形を抑止する観点から、ヒートシンクのような放熱装置を取り付けることが好ましい。【００６６】
（４）上記した各実施形態では、ヒートシンク３３をＬＥＤ基板のうちＬＥＤ光源２０を配列した面とは反対側の面に設ける構成としたが、例えばＬＥＤ光源２０を配列した面において、ＬＥＤ基板表面のリードフレームに直接設けるものとしても良い。【００６７】
（５）上記した各実施形態では、ヒートシンク３３を銅製としたが、当該ヒートシンクを構成する材料はこれに限られるものではない。この場合、放熱効果の観点から、ヒートシンクの熱伝導率がＬＥＤ基板の基板部の熱伝導率より大きくなる材料を選択することが好ましい。【００６８】
（６）上記した各実施形態では、ＬＥＤ光源２０をＲ（赤色），Ｇ（緑色），Ｂ（青色）をそれぞれ単色発光する３つのＬＥＤチップ２３が樹脂固定されたものとしたが、例えばＲ，Ｇ，Ｂの３種類のチップが面実装された白色発光のＬＥＤ光源を用いても良い。さらに、これらの表示色については、Ｒ，Ｇ，Ｂに限られるものではなく、他の色を選択することも可能である。【００６９】
（７）上記した各実施形態では、ＬＥＤ光源２０をＲ，Ｇ，Ｂをそれぞれ単色発光するものとしたが、これらの色を得るために、白色発光のＬＥＤ光源と当該白色光を呈色するためのカラーフィルタとを組み合わせた構成としても良い。【００７０】
（８）上記した各実施形態では、表示パネルとして液晶パネルを用いた液晶表示装置を例示したが、他の種類の表示パネルを用いた表示装置にも本発明は適用可能である。
【図１】
2009054177.tif 000003
【図２】
2009054177.tif 000004
【図３】
2009054177.tif 000005
【図４】
2009054177.tif 000006
【図５】
2009054177.tif 000007
【図６】
2009054177.tif 000008
【図７】
2009054177.tif 000009
【図８】
2009054177.tif 000010
【図９】
2009054177.tif 000011
【図１０】
2009054177.tif 000012
【図１１】
2009054177.tif 000013
【図１２】
2009054177.tif 000014
【国際調査報告】
2009054177.tif 000015
2009054177.tif 000016
2009054177.tif 000017
2009054177.tif 000018